(57)【要約】【課題】  確実に重要な案件を記録可能な電話装置を提供する。【解決手段】  通話が開始されると自動的に通話内容の録音を開始し（Ｓ１〜Ｓ２ステップ）、通話が終了すると共に通話内容の録音を終了し（Ｓ３〜Ｓ４ステップ）、ユーザが通話内容の消去を指示する操作を行うと、録音した通話内容の消去が行われ（Ｓ７ステップ）、通話内容の消去を指示する操作が行わなければ、録音した通話内容の記録が維持される（Ｓ８ステップ）。【選択図】      図２
2008104044.tif 000002
【特許請求の範囲】
【請求項１】
着信があり、相手先との回線接続が行われると同時に通話内容を自動的に録音することを特徴とする電話装置。
【請求項２】
請求項１記載の電話装置であり、通話終了後に録音した通話内容を消去するか否かのメッセージを表示することを特徴とする電話装置。
【請求項３】
請求項１又は２に記載の電話装置であり、通話終了後に所定時間が経過すると自動的に録音した通話内容を消去することを特徴とする電話装置。
【請求項４】
着信を検出する着信検出手段と、回線の接続及び開放を行う回線制御手段と、通話内容を録音する録音手段と、
前記着信検出手段が着信を検出した後に、前記回線制御手段が回線の接続を行うと、前記録音手段が自動的に通話内容の録音を開始し、前記回線制御手段が回線の開放を行うと、前記録音手段が自動的に通話内容の録音を終了するように制御する制御手段と、を有することを特徴とする電話装置。
【請求項５】
請求項４に記載の電話装置であり、
更に表示手段を有し、前記録音手段が自動的に通話内容の録音を終了すると、前記表示手段が、録音した通話内容を消去するか否かのメッセージを表示するように前記制御手段が制御することを特徴とする電話装置。
【請求項６】
請求項５に試合の電話装置であり、
更に計時手段を有し、前記回線制御手段が回線の開放を行うと、前記計時手段が所定時間の計時を開始し、所定時間経過すると、前記録音手段に録音した通話内容を自動的に消去するよう前記制御手段が制御することを特徴とする電話装置。
【発明の詳細な説明】
【技術分野】
【０００１】
本発明は、電話装置に関する。
【背景技術】
【０００２】
特許文献１には、ユーザが通話中に録音ボタンを押下することにより、通話内容を録音する機能が記載されている。
【特許文献１】特開平６−３７９２０号公報
【発明の開示】
【発明が解決しようとする課題】
【０００３】
上記特許文献１記載の技術では、ユーザが録音ボタンの押下をしてから初めて録音動作に入るため、ユーザが重要な案件を聞いた後に録音ボタンを押下してもその重要な案件は録音されず、その重要な案件を聞き逃すことや、再度重要な案件について再度話をして欲しいと相手先に御願いする必要があった。
【課題を解決するための手段】
【０００４】
本願発明は、このような課題を解決する為のものであり、請求項１に記載の電話装置は、着信があり、相手先との回線接続が行われると同時に通話内容を自動的に録音することを特徴とする。
請求項２に記載の電話装置は、請求項１記載の電話装置であり、通話終了後に録音した通話内容を消去するか否かのメッセージを表示することを特徴とする。
請求項３に記載の電話装置は、請求項１又は２に記載の電話装置であり、通話終了後に所定時間が経過すると自動的に録音した通話内容を消去することを特徴とする。
請求項４に記載の電話装置は、着信を検出する着信検出手段と、回線の接続及び開放を行う回線制御手段と、通話内容を録音する録音手段と、前記着信検出手段が着信を検出した後に、前記回線制御手段が回線の接続を行うと、前記録音手段が自動的に通話内容の録音を開始し、前記回線制御手段が回線の開放を行うと、前記録音手段が自動的に通話内容の録音を終了するように制御する制御手段と、を有することを特徴とする。
請求項５に記載の電話装置は、請求項４に記載の電話装置であり、更に表示手段を有し、前記録音手段が自動的に通話内容の録音を終了すると、前記表示手段が、録音した通話内容を消去するか否かのメッセージを表示するように前記制御手段が制御することを特徴とする。
請求項６に記載の電話装置は、請求項５に試合の電話装置であり、更に計時手段を有し、前記回線制御手段が回線の開放を行うと、前記計時手段が所定時間の計時を開始し、所定時間経過すると、前記録音手段に録音した通話内容を自動的に消去するよう前記制御手段が制御することを特徴とする。
【発明の効果】
【０００５】
請求項１に記載の電話装置によれば、着信があり、相手先との回線接続が行われると同時に通話内容を自動的に録音する為、重要な案件の記録を忘れることがない。
請求項２に記載の電話装置は、請求項１記載の電話装置であり、通話終了後に録音した通話内容を消去するか否かのメッセージを表示することを特徴とする為、記録しなくても良い通話内容をユーザが選択できる。
請求項３に記載の電話装置は、請求項１又は２に記載の電話装置であり、通話終了後に所定時間が経過すると自動的に録音した通話内容を消去することを特徴とする為、ユーザが一々消去操作を行う必要がない。
請求項４に記載の電話装置は、着信を検出する着信検出手段と、回線の接続及び開放を行う回線制御手段と、通話内容を録音する録音手段と、前記着信検出手段が着信を検出した後に、前記回線制御手段が回線の接続を行うと、前記録音手段が自動的に通話内容の録音を開始し、前記回線制御手段が回線の開放を行うと、前記録音手段が自動的に通話内容の録音を終了するように制御する制御手段と、を有することを特徴とする為、重要な案件の記録を忘れることがない。
請求項５に記載の電話装置は、請求項４に記載の電話装置であり、更に表示手段を有し、前記録音手段が自動的に通話内容の録音を終了すると、前記表示手段が、録音した通話内容を消去するか否かのメッセージを表示するように前記制御手段が制御することを特徴とする為、記録しなくても良い通話内容をユーザが選択できる。
請求項６に記載の電話装置は、請求項５に試合の電話装置であり、更に計時手段を有し、前記回線制御手段が回線の開放を行うと、前記計時手段が所定時間の計時を開始し、所定時間経過すると、前記録音手段に録音した通話内容を自動的に消去するよう前記制御手段が制御することを特徴とする為、ユーザが一々消去操作を行う必要がない。
【発明を実施するための最良の形態】
【０００６】
次に、本発明の一実施形態に係る通信装置（携帯電話装置）について、図面を参照して説明する。
【０００７】
図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【０００８】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【０００９】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１０】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１１】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１２】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１３】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００１４】
また、制御回路３６には、入力部４４が接続されている。この入力部４４は、図示していないが、テンキー、通話キー、切キー、カーソル移動等に用いられる十字キー、決定キー、クリアキー等を有している。
【００１５】
ＲＡＭ４０には、通話内容が格納される。
【００１６】
次に、本実施例装置の動作について、図２を用いて説明する。図２は本実施例装置の動作を示すフロー図であり、着信があり通話を開始する動作からの説明が記載されている。
【００１７】
図２のＳ１ステップにおいて、制御回路３６は、通信部１２とベースバンド部１４を制御することにより、相手先との通話路を形成する。
【００１８】
続くＳ２ステップにおいて、制御回路３６は、通話内容をＲＡＭ４０に格納し、Ｓ３ステップへ処理を進める。
【００１９】
Ｓ３ステップでは、制御回路３６は、入力部４４から切キーの操作を検出するか、ベースバンド部１４から相手先が通話を切断したことを示す信号を検出し、通話を終了する。
【００２０】
続くＳ４ステップでは、制御回路３６は、ＲＡＭ４０への通話内容の録音を終了し、Ｓ５ステップへ処理を進める。
【００２１】
Ｓ５ステップでは、制御回路３６は、ディスプレイ４２に通話内容を消去するか否かのメッセージ（例えば、「通話内容を消去しますか」）を表示させ、Ｓ６ステップへ処理を進める。
【００２２】
Ｓ６ステップでは、制御回路３６は、入力部４４から通話内容を消去するよう指示する操作があると判定すると、Ｓ７ステップへ処理を進め、そうでなければ、Ｓ８ステップへ処理を進める。
【００２３】
Ｓ７ステップでは、制御回路３６は、ＲＡＭ４０に格納されている通話内容を消去し、処理を終了する。
【００２４】
Ｓ８ステップでは、制御回路３６は、ＲＡＭ４０に格納されている通話内容の保持を継続する。
【００２５】
尚、通話が終了してから、所定時間経過すると（例えば、所定時間経過するまでに消去の操作がなければ）自動的に録音した通話内容を消去する構成としても良い。
【図面の簡単な説明】
【００２６】
【図１】本発明を適用してなる実施例装置のブロック図である。
【図２】本実施例装置の動作を示すフロー図である。
【符号の説明】
【００２７】
１０      携帯電話装置
３６      制御回路
４０      ＲＡＭ
４４      入力部
【図１】
2008104044.tif 000003
【図２】
2008104044.tif 000004